(57)【要約】      （修正有）【課題】シートへの画像の形成を中断した場合、未形成画像部分が形成されるシートを選択できる画像形成装置を提供する。【解決手段】画像形成装置は、画像形成部と、入力部と、排出部と、制御部とを備える。画像形成部は、シートＴに画像を形成する。入力部は、画像形成部がシートＴに画像を形成する動作を中断したとき、第１処理と第２処理とのうちのいずれかの選択の入力を受け付ける。排出部は、画像の形成を中断されたシートＴを排出する。制御部は、第１処理と第２処理とのうち選択された処理を実行するように、画像形成部を制御する。第１処理は、排出シートに、未形成画像部分ＳＰを形成させる処理である。第２処理は、排出シートと異なるシートＴＮに、未形成画像部分ＳＰを形成させる処理である。未形成画像部分ＳＰは、画像のうち、画像の形成を中断されたシートＴに形成されていない部分である。【選択図】図９
2018069605.tif 000002
【特許請求の範囲】
【請求項１】
シートに画像を形成する画像形成部と、
前記画像形成部が前記シートに前記画像を形成する動作を中断したとき、第１処理と第２処理とのうちのいずれかの選択の入力を受け付ける入力部と、
前記画像の形成を中断された前記シートを排出する排出部と、
前記第１処理と前記第２処理とのうち選択された処理を実行するように、前記画像形成部を制御する制御部と
を備え、
前記第１処理は、前記排出部に排出された前記シートに、未形成画像部分を形成させる処理であり、
前記第２処理は、前記排出部に排出された前記シートと異なるシートに、前記未形成画像部分を形成させる処理であり、
前記未形成画像部分は、前記画像のうち、前記画像の形成を中断された前記シートに形成されていない部分である、画像形成装置。
【請求項２】
前記入力部が前記第１処理の選択の入力を受け付けたとき、前記制御部は、前記排出部に排出された前記シートに、形成済画像部分に後続して前記未形成画像部分を形成するように前記画像形成部を制御し、
前記形成済画像部分は、前記画像のうち、前記画像の形成を中断された前記シートに形成された部分である、請求項１に記載の画像形成装置。
【請求項３】
前記入力部は、前記第２処理の選択の入力を受け付けたとき、第１位置と第２位置とのうちのいずれかの選択の入力をさらに受け付け、
前記制御部は、前記排出部に排出された前記シートと異なる前記シートに、前記第１位置と前記第２位置とのうち選択された位置から前記未形成画像部分を形成するように前記画像形成部を制御し、
前記第１位置は、前記排出部に排出された前記シートと異なる前記シートのうち、前記排出部に排出された前記シートの形成済画像部分に後続する位置に対応する位置を示し、
前記第２位置は、前記排出部に排出された前記シートと異なる前記シートの先頭位置を示し、
前記形成済画像部分は、前記画像のうち、前記画像の形成を中断された前記シートに形成された部分である、請求項１または請求項２に記載の画像形成装置。
【請求項４】
前記入力部が前記第２処理の選択の入力を受け付けたとき、前記制御部は、前記排出部に排出された前記シートと異なる前記シートに、第１位置から前記未形成画像部分を形成するように前記画像形成部を制御し、
前記第１位置は、前記排出部に排出された前記シートと異なる前記シートのうち、前記排出部に排出された前記シートの形成済画像部分に後続する位置に対応する位置を示し、
前記形成済画像部分は、前記画像のうち、前記画像の形成を中断された前記シートに形成された部分である、請求項１または請求項２に記載の画像形成装置。
【請求項５】
前記入力部が前記第２処理の選択の入力を受け付けたとき、前記制御部は、前記排出部に排出された前記シートと異なる前記シートに、第２位置から前記未形成画像部分を形成するように前記画像形成部を制御し、
前記第２位置は、前記排出部に排出された前記シートと異なる前記シートの先頭位置を示す、請求項１または請求項２に記載の画像形成装置。
【請求項６】
シートに画像を形成する動作を中断する指示の入力を前記入力部が受け付けたとき、前記制御部は、前記第２処理の選択の入力を禁止する、請求項１から請求項５のいずれか１項に記載の画像形成装置。
【請求項７】
前記画像形成部は、感光体ドラムと、前記感光体ドラムを帯電する帯電部とを含み、
前記感光体ドラムは、所定の帯電位置で帯電され、所定のトナー付与位置でトナーを付与され、所定の転写位置で前記トナーを前記シートに転写し、
前記制御部は、画像形成開始距離Ｘを次式に基づいて算出し、
前記感光体ドラムが前記帯電位置から前記画像形成開始距離Ｘだけ回転したときに、前記帯電部は帯電を開始し、
前記画像形成開始距離Ｘは、前記排出部に排出された前記シートの前記形成済画像部分に後続する位置から前記シートの先端までの長さを示す、請求項２から請求項４のいずれか１項に記載の画像形成装置。
Ｘ＝（２πＲ×θ１÷３６０）＋（２πＲ×θ２÷３６０）
Ｘ：画像形成開始距離
Ｒ：前記感光体ドラムの半径
θ１：前記感光体ドラムのうち前記シートの前記先端に対応する位置から前記転写位置までの前記感光体ドラムの回転角度
θ２：前記転写位置から前記トナー付与位置までの前記感光体ドラムの回転角度
【発明の詳細な説明】
【技術分野】
【０００１】
本発明は、画像形成装置に関する。
【背景技術】
【０００２】
一般的に、画像形成装置は、シートへの画像の形成を中断した場合、画像の形成を中断されたシートを排出する。そして、画像形成装置は、画像の形成を中断されたシートと異なるシートに、再び画像を形成する。
【０００３】
そこで、特許文献１に記載の継続印刷装置では、印刷動作が途中で停止した場合、印刷途中の用紙（シート）を取り出して、印刷途中の用紙を再挿入する。そして、再挿入した用紙に印刷を行うことにより、印刷途中の用紙を新しいものに取り替える事無く、再挿入した用紙に連続した印刷結果を完成させる（画像が形成される）。
【先行技術文献】
【特許文献】
【０００４】
【特許文献１】特開平１０−３１５５９２号公報
【発明の概要】
【発明が解決しようとする課題】
【０００５】
しかしながら、特許文献１に記載の継続印刷装置では、印刷途中の用紙と、印刷途中の用紙と異なる新しい用紙とのうちのいずれかを選択して、印刷結果を完成させることができない。
【０００６】
本発明は上記課題に鑑みてなされたものであり、その目的は、未形成画像部分が形成されるシートを選択できる画像形成装置を提供することにある。
【課題を解決するための手段】
【０００７】
本発明によれば、画像形成装置は、画像形成部と、入力部と、排出部と、制御部とを備える。画像形成部は、シートに画像を形成する。入力部は、前記画像形成部が前記シートに前記画像を形成する動作を中断したとき、第１処理と第２処理とのうちのいずれかの選択の入力を受け付ける。排出部は、前記画像の形成を中断された前記シートを排出する。制御部は、前記第１処理と前記第２処理とのうち選択された処理を実行するように、前記画像形成部を制御する。前記第１処理は、前記排出部に排出された前記シートに、未形成画像部分を形成させる処理である。前記第２処理は、前記排出部に排出された前記シートと異なるシートに、前記未形成画像部分を形成させる処理である。前記未形成画像部分は、前記画像のうち、前記画像の形成を中断された前記シートに形成されていない部分である。
【発明の効果】
【０００８】
本発明によれば、未形成画像部分が形成されるシートを選択できる。
【図面の簡単な説明】
【０００９】
【図１】本発明の実施形態１に係る画像形成装置を示す。
【図２】実施形態１に係る画像形成部が画像を形成している間の表示部を示す。
【図３】実施形態１に係る排出シートを示す。
【図４】実施形態１に係る画像形成部がシートに画像を形成する動作を中断したときの表示部を示す。
【図５】実施形態１に係る入力部が第１処理の選択の入力を受け付けたときの表示部を示す。
【図６】実施形態１に係る第１処理によって未形成画像部分が形成された排出シートを示す。
【図７】実施形態１に係る第１処理が終了したときの表示部を示す。
【図８】実施形態１に係る入力部が第２処理の選択の入力を受け付けたときの表示部を示す。
【図９】（ａ）実施形態１に係る第２処理によって第１位置に未形成画像部分が形成された新規シートを示す。（ｂ）実施形態１に係る第２処理によって第２位置に未形成画像部分が形成された新規シートを示す。
【図１０】実施形態１に係る画像形成部を示す。
【図１１】実施形態１に係る画像形成装置が実行する画像形成処理を示すシーケンス図である。
【図１２】本発明の実施形態２に係る表示部を示す。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。
【００１１】
（実施形態１）
まず、図１を参照して、実施形態１に係る画像形成装置１について説明する。図１は、画像形成装置１を示す。画像形成装置１は、制御部１０と、記憶部２０と、表示部３０と、入力部５０と、原稿搬送部１００と、画像読取部１１０と、収納部１２０と、搬送部１３０と、画像形成部１４０と、定着部１５０と、排出部１６０とを備える。
【００１２】
制御部１０は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含む。制御部１０は、画像形成装置１の各要素を制御する。具体的には、制御部１０が、記憶部２０に格納されたコンピュータープログラムを実行することにより、記憶部２０、表示部３０、入力部５０、原稿搬送部１００、画像読取部１１０、収納部１２０、搬送部１３０、画像形成部１４０、定着部１５０、及び排出部１６０を制御する。
【００１３】
記憶部２０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。主記憶装置は、制御部１０によって実行される種々のコンピュータープログラムを記憶する。
【００１４】
表示部３０は、例えば、ＬＣＤ（Ｌｉｑｕｉｄ  Ｃｒｙｓｔａｌ  Ｄｉｓｐｌａｙ）、又は有機ＥＬＤ（Ｅｌｅｃｔｒｏ  Ｌｕｍｉｎｅｓｃｅｎｃｅ  Ｄｉｓｐｌａｙ）である。表示部３０は、画像形成装置１の各種の設定画面を表示する。
【００１５】
入力部５０は、例えばタッチパネルである。入力部５０は、表示部３０に対するユーザーの操作に応じた操作信号を制御部１０に出力する。ユーザーの操作は、例えば、表示部３０を接触する操作を含む。なお、入力部５０は、ハードキー、キーボード又はマウスであってもよい。
【００１６】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１及び手差しトレイ１２３の各々はシートＴを積載して収納する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。搬送部１３０は、搬送方向Ｄに沿って、シートＴを搬送する。搬送部１３０は、例えば、カセット１２１又は手差しトレイ１２３から画像形成部１４０に向けてシートＴを搬送する。
【００１７】
画像形成部１４０は、シートＴに画像を形成（印刷）する。画像形成部１４０は、感光体ドラム１４１、帯電部１４２、露光部１４３、現像部１４４、転写部１４５、クリーニング部１４６、及び除電部１４７を含む。画像形成部１４０の詳細については、後述する。
【００１８】
画像を形成されたシートＴは定着部１５０に向けて搬送される。定着部１５０は、画像が形成されたシートＴを加熱及び加圧して、シートＴに画像を定着させる。画像が定着されたシートＴは排出部１６０に向けて搬送される。排出部１６０はシートＴを排出する。
【００１９】
次に、図１〜図３を参照して、シートＴに画像を形成する動作を中断する画像形成部１４０について説明する。図２は、画像形成部１４０が画像を形成している間の表示部３０を示す。画像形成部１４０がシートＴに画像を形成している間、表示部３０は、表示欄３１と中止ボタン３２とを表示している。
【００２０】
表示欄３１には、画像形成部１４０の状況が表示される。例えば、図２に示す表示欄３１には、画像形成部１４０が１つのジョブを実行中であり、２つのジョブを待機させている状況が表示されている。
【００２１】
中止ボタン３２は、シートＴに画像を形成する動作を画像形成部１４０に中断させる指示を入力するためのボタンである。以下、本明細書において、シートＴに画像を形成する動作を中断する指示を中断指示と記載する場合がある。中止ボタン３２が接触されると、入力部５０は、中断指示の入力を受け付ける。
【００２２】
入力部５０が中断指示の入力を受け付けたことに応じて、制御部１０は、シートＴに画像を形成する動作を中断するように、画像形成部１４０を制御する。すなわち、制御部１０は、画像形成部１４０に実行中のジョブを中断させる。画像形成部１４０がシートＴに画像を形成する動作を中断すると、搬送部１３０は、画像の形成を中断されたシートＴを排出部１６０まで搬送する。そして、排出部１６０は、画像の形成を中断されたシートＴを排出する。以下、画像の形成を中断され、排出されたシートＴを排出シートＴＳと記載する場合がある。
【００２３】
図３は、排出シートＴＳを示す。排出シートＴＳは、形成済画像部分ＡＰと、未形成画像部分ＳＰとを含む。形成済画像部分ＡＰは、シートＴに形成される画像のうち、画像の形成を中断された排出シートＴＳに形成された部分である。未形成画像部分ＳＰは、シートＴに形成される画像のうち、排出シートＴＳに形成されていない部分である。
【００２４】
次に、図１及び図４を参照して、中断指示の入力を受け付けた場合の入力部５０について説明する。図４は、入力部５０が中断指示の入力を受け付けたときの表示部３０を示す。入力部５０が中断指示の入力を受け付けて画像形成部１４０がシートＴに画像を形成する動作を中断したとき、入力部５０は、第１処理と第２処理とのうちのいずれかの選択の入力を受け付ける。以下、具体的に説明する。
【００２５】
入力部５０が中断指示の入力を受け付けたとき、表示部３０は、再開ボタン３３を表示する。再開ボタン３３は、中断させたジョブを画像形成部１４０に再開させるためのボタンである。再開ボタン３３が接触されると、表示部３０は、第１処理指示ボタン３４と第２処理指示ボタン３５とをさらに表示する。
【００２６】
第１処理指示ボタン３４は、第１処理を画像形成部１４０に実行させるためのボタンである。第１処理指示ボタン３４が接触されると、入力部５０は、第１処理の選択の入力を受け付ける。第１処理は、排出部１６０に排出されたシートＴ、すなわち、排出シートＴＳに、未形成画像部分ＳＰを形成させる処理である。つまり、第１処理指示ボタン３４は、画像の形成を中止されたシートＴと同じシートＴに画像の形成を継続させるためのボタンである。
【００２７】
一方、第２処理指示ボタン３５は、第２処理を画像形成部１４０に実行させるためのボタンである。第２処理指示ボタン３５が接触されると、入力部５０は、第２処理の選択の入力を受け付ける。第２処理は、排出部１６０に排出されたシートＴと異なるシートＴ、すなわち、排出シートＴＳと異なるシートＴに、未形成画像部分ＳＰを形成させる処理である。つまり、第２処理指示ボタン３５は、画像の形成を中止されたシートＴと異なる新規シートＴに画像の形成を継続させるためのボタンである。以下、本明細書において、排出シートＴＳと異なるシートＴを新規シートＴＮと記載する場合がある。
【００２８】
制御部１０は、第１処理と第２処理とのうち選択された処理を実行するように、画像形成部１４０を制御する。従って、排出シートＴＳ及び新規シートＴＮのうちのいずれかを選択して、未形成画像部分ＳＰを形成させることができる。その結果、ユーザーの利便性が向上する。
【００２９】
次に、図１及び図５〜図７を参照して第１処理について具体的に説明する。図５は、入力部５０が第１処理の選択の入力を受け付けたときの表示部３０を示す。入力部５０が第１処理の選択の入力を受け付けたとき、表示部３０は、ＯＫボタン３６を表示する。ＯＫボタン３６は、第１処理の実行の開始を指示するためのボタンである。
【００３０】
画像形成部１４０に第１処理を実行させる場合、ユーザーは、排出シートＴＳを収納部１２０に収納する。実施形態１において、ユーザーは、手差しトレイ１２３に排出シートＴＳを積載して収納する。ユーザーは、排出シートＴＳを手差しトレイ１２３に収納すると、ＯＫボタン３６を接触する。ＯＫボタン３６が接触されると、入力部５０は、第１処理の実行を開始する指示の入力を受け付ける。
【００３１】
図６は、未形成画像部分ＳＰが形成された排出シートＴＳを示す。入力部５０が第１処理の実行の開始の指示の入力を受け付けると、制御部１０は、手差しトレイ１２３に収納された排出シートＴＳに、形成済画像部分ＡＰに後続して未形成画像部分ＳＰを形成するように画像形成部１４０を制御する。すなわち、入力部５０が第１処理の選択の入力を受け付けたとき、制御部１０は排出シートＴＳに、形成済画像部分ＡＰに後続して未形成画像部分ＳＰを形成するように画像形成部１４０を制御する。その結果、図６に示すように、排出シートＴＳには、形成済画像部分ＡＰに後続して未形成画像部分ＳＰが形成される。
【００３２】
図７は、画像形成部１４０が第１処理を実行した後の表示部３０を示す。画像形成部１４０が第１処理を実行した後、表示部３０は、ＹＥＳボタン３７とＮＯボタン３８とを表示する。ＹＥＳボタン３７は、第１処理の完了を制御部１０に指示するためのボタンである。ＮＯボタン３８は、第２処理を画像形成部１４０に実行させるためのボタンである。
【００３３】
排出シートＴＳに、形成済画像部分ＡＰに後続して未形成画像部分ＳＰが正しく形成されている場合、ユーザーは、ＹＥＳボタン３７を接触する。ＹＥＳボタン３７が接触されると、入力部５０は、第１処理の完了の指示の入力を受け付ける。入力部５０が第１処理の完了の指示の入力を受け付けると、制御部１０は、記憶部２０から形成済画像部分ＡＰ及び未形成画像部分ＳＰを含む画像のデータを消去する。
【００３４】
一方、排出シートＴＳに、形成済画像部分ＡＰに後続して未形成画像部分ＳＰが正しく形成されていない場合、ユーザーは、ＮＯボタン３８を接触する。ＮＯボタン３８が接触されると、入力部５０は、第２処理を実行する指示の入力を受け付ける。入力部５０が第２処理を実行する指示の入力を受け付けると、制御部１０は、新規シートＴＮに未形成画像部分ＳＰを形成するように、画像形成部１４０を制御する。
【００３５】
以上、図１及び図４〜図７を参照して説明したように、実施形態１によれば、排出シートＴＳに、形成済画像部分ＡＰに後続して未形成画像部分ＳＰを形成するように画像形成部１４０が制御される。従って、新規シートＴＮを使用することなく、未形成画像部分ＳＰを排出シートＴＳに形成できる。その結果、シートＴの使用量を減らすことができる。
【００３６】
また、実施形態１によれば、排出シートＴＳに未形成画像部分ＳＰが正しく形成されていない場合、画像形成部１４０に第２処理を実行するように指示することができる。従って、シートＴに未形成画像部分ＳＰを正しく形成できる。その結果、ユーザーの利便性が向上する。
【００３７】
さらに、実施形態１によれば、排出シートＴＳに未形成画像部分ＳＰが正しく形成されている場合、記憶部２０から形成済画像部分ＡＰ及び未形成画像部分ＳＰを含む画像のデータが消去される。従って、記憶部２０に不要に情報を記憶させることを防止できる。
【００３８】
次に、図１、図８及び図９を参照して、第２処理について具体的に説明する。図８は、入力部５０が第２処理の選択の入力を受け付けたときの表示部３０を示す。入力部５０が第２処理の選択の入力を受け付けたとき、表示部３０は、第１位置指示ボタン３９と、第２位置指示ボタン４０とを表示する。第１位置指示ボタン３９は、新規シートＴＮに、第１位置から未形成画像部分ＳＰを形成するように画像形成部１４０に指示するためのボタンである。第２位置指示ボタン４０は、新規シートＴＮに、第２位置から未形成画像部分ＳＰを形成するように画像形成部１４０に指示するためのボタンである。そして、入力部５０は、第１位置と第２位置とのうちのいずれかの選択の入力を受け付ける。
【００３９】
制御部１０は、新規シートＴＮに、第１位置と第２位置とのうち選択された位置から未形成画像部分ＳＰを形成するように画像形成部１４０を制御する。具体的には、第１位置指示ボタン３９が接触されると、入力部５０は、第１位置の選択の入力を受け付ける。入力部５０が第１位置の選択の入力を受け付けたことに応じて、制御部１０は、新規シートＴＮに、第１位置から未形成画像部分ＳＰを形成するように画像形成部１４０を制御する。また、第２位置指示ボタン４０が接触されると、入力部５０は、第２位置の選択の入力を受け付ける。入力部５０が第２位置の選択の入力を受け付けたことに応じて、制御部１０は、新規シートＴＮに、第２位置から未形成画像部分ＳＰを形成するように画像形成部１４０を制御する。
【００４０】
図９（ａ）は、第１位置から未形成画像部分ＳＰを形成された新規シートＴＮを示す。第１位置は、新規シートＴＮのうち、排出シートＴＳ（図３参照）の形成済画像部分ＡＰに後続する位置に対応する位置を示す。従って、第１位置から未形成画像部分ＳＰを形成することは、未形成画像部分ＳＰの印刷位置を変えずに新規シートＴＮに未形成画像部分ＳＰを印刷することを示す。第１位置から未形成画像部分ＳＰが形成される場合、画像形成部１４０は、形成済画像部分ＡＰを新規シートＴＮに形成しない。
【００４１】
図９（ｂ）は、第２位置から未形成画像部分ＳＰを形成された新規シートＴＮを示す。第２位置は、新規シートＴＮの先頭位置を示す。従って、第２位置から未形成画像部分ＳＰを形成することは、新規シートＴＮに未形成画像部分ＳＰを先頭から印刷することを示す。第２位置から未形成画像部分ＳＰが形成される場合、画像形成部１４０は、未形成画像部分ＳＰに後続して、後続画像部分ＦＰを新規シートＴＮに形成する。後続画像部分ＦＰは、新規シートＴＮに形成される画像のうち、未形成画像部分ＳＰに後続する部分である。
【００４２】
以上、図１、図８及び図９を参照して説明したように、実施形態１によれば、新規シートＴＮに、第１位置と第２位置とのうち選択された位置から未形成画像部分ＳＰを形成するように画像形成部１４０は制御される。従って、第１位置及び第２位置のうちのいずれかを選択して、未形成画像部分ＳＰを新規シートＴＮに形成することができる。その結果、ユーザーの利便性が向上する。
【００４３】
また、実施形態１によれば、新規シートＴＮのうち、排出シートＴＳの形成済画像部分ＡＰに後続する位置に対応する位置から未形成画像部分ＳＰを形成するように画像形成部１４０が制御される。従って、新規シートＴＮには、形成済画像部分ＡＰが形成されず、新規シートＴＮに形成済画像部分ＡＰを形成するためのトナーを使用しない。その結果、トナーの使用量を減らすことができる。
【００４４】
また、実施形態１によれば、新規シートＴＮには、排出シートＴＳの形成済画像部分ＡＰに後続する位置に対応する位置から未形成画像部分ＳＰを形成するように画像形成部１４０が制御される。従って、ユーザーは、新規シートＴＮに形成された未形成画像部分ＳＰを切り取り、切り取った未形成画像部分ＳＰを排出シートＴＳに貼り付けることが出来る。その結果、トナーの使用量を減らすとともに、排出シートＴＳを再利用できる。
【００４５】
さらに、実施形態１によれば、新規シートＴＮの先頭位置から未形成画像部分ＳＰを形成するように画像形成部１４０が制御される。従って、画像形成部１４０は、未形成画像部分ＳＰに加えて、未形成画像部分ＳＰと異なる画像を新規シートＴＮに形成することができる。その結果、シートＴの使用量を減らすことが出来る。
【００４６】
さらに、実施形態１によれば、未形成画像部分ＳＰに後続して、後続画像部分ＦＰが新規シートＴＮに形成される。従って、排出シートＴＳ及び新規シートＴＮと異なるシートＴを使用することなく続画像部分ＦＰをシートＴに形成することができる。その結果、シートＴの使用量をさらに減らすことが出来る。
【００４７】
次に、図１０を参照して、画像形成部１４０がシートＴに未形成画像部分ＳＰを形成するときの具体的な処理について説明する。図１０は、画像形成部１４０を示す。
【００４８】
感光体ドラム１４１は、回転方向Ａに沿って回転する。帯電部１４２は、所定の帯電位置Ｐ４で感光体ドラム１４１を帯電させる。露光部１４３は、画像読取部１１０によって生成された画像又は記憶部２０に記憶された画像に基づく光を感光体ドラム１４１の表面に照射する。その結果、感光体ドラム１４１の表面には画像に対応した静電潜像が形成される。
【００４９】
現像部１４４は、所定のトナー付与位置Ｐ３で感光体ドラム１４１にトナーを付与し、感光体ドラム１４１の表面に形成された静電潜像を現像する。転写部１４５は、所定の転写位置Ｐ２でトナーをシートＴに転写する。その結果、シートＴに画像が形成される。クリーニング部１４６は、感光体ドラム１４１の表面に残留しているトナーを除去する。除電部１４７は、感光体ドラム１４１の表面の残留電荷を除去する。
【００５０】
実施形態１において、シートＴの先端は、感光体ドラム１４１のうち、位置Ｐ１に対応する。角度θ１は、位置Ｐ１から転写位置Ｐ２までの感光体ドラム１４１の回転角度を示す。角度θ２は、転写位置Ｐ２からトナー付与位置Ｐ３までの感光体ドラム１４１の回転角度を示す。
【００５１】
シートＴの距離Ｘ１は、シートＴの先端から転写位置Ｐ２までの長さを示し、感光体ドラム１４１のうち位置Ｐ１から転写位置Ｐ２までの長さに対応する。シートＴの距離Ｘ２は、感光体ドラム１４１のうち転写位置Ｐ２からトナー付与位置Ｐ３までの長さに対応する。
【００５２】
入力部５０が中断指示の入力を受け付けたとき、シートＴには、シートＴの先端から転写位置Ｐ２まで画像が形成されており、感光体ドラム１４１には、転写位置Ｐ２からトナー付与位置Ｐ３までトナーが付与されている。このとき、現像部１４４は、感光体ドラム１４１へのトナーの付与を中断する。一方、搬送部１３０は、定着部１５０に向けてシートＴを引き続き搬送すると共に、感光体ドラム１４１は引き続き回転方向Ａに沿って回転している。また、記憶部２０は、角度θ１と角度θ２とを記憶する。従って、シートＴには、感光体ドラム１４１のうち、転写位置Ｐ２からトナー付与位置Ｐ３までに付与されたトナーが転写される。その結果、シートＴには、シートＴの先端から距離Ｘ１と距離Ｘ２とを足した距離まで画像が形成される。
【００５３】
距離Ｘ１と距離Ｘ２とを足した距離は、画像形成開始距離Ｘに相当する。画像形成開始距離Ｘは、排出シートＴＳに形成された形成済画像部分ＡＰの搬送方向Ｄに沿った長さに相当する。すなわち、画像形成開始距離Ｘは、排出シートＴＳの形成済画像部分ＡＰに後続する位置から排出シートＴＳの先端までの長さを示す。
【００５４】
画像形成部１４０が第１処理を実行して未形成画像部分ＳＰを形成する場合、又は、画像形成部１４０が第２処理を実行して第１位置から未形成画像部分ＳＰを形成する場合、制御部１０は、記憶部２０に記憶された角度θ１と角度θ２とを読み出す。制御部１０は、画像形成部１４０を制御して、帯電位置Ｐ４から角度θ１と角度θ２とを足した角度まで感光体ドラム１４１を回転させ、帯電部１４２に帯電を開始させる。つまり、感光体ドラム１４１が帯電位置Ｐ４から画像形成開始距離Ｘだけ回転したときに、帯電部１４２は帯電を開始する。従って、感光体ドラム１４１の表面には、帯電位置Ｐ４から角度θ１と角度θ２とを足した角度まで回転した位置から静電潜像が形成され、形成された静電潜像が現像される。その結果、シートＴには、シートＴの先端から画像形成開始距離Ｘだけ離れた位置からトナー像が転写され、未形成画像部分ＳＰが形成される。すなわち、シートＴには、形成済画像部分ＡＰに後続して未形成画像部分ＳＰが形成される。
【００５５】
制御部１０は画像形成開始距離Ｘを以下の式（１）に基づいて算出する。式（１）において、Ｘは、画像形成開始距離を示し、Ｒは、感光体ドラム１４１の半径を示す。
Ｘ＝（２πＲ×θ１÷３６０）＋（２πＲ×θ２÷３６０）      （１）
【００５６】
画像形成部１４０が第２処理を実行して第２位置から未形成画像部分ＳＰを形成する場合、帯電部１４２は、感光体ドラム１４１のうちシートＴの先頭位置に対応する位置から帯電を開始する。その結果、シートＴには、第２位置から、すなわち新規シートＴＮの先頭位置から画像が形成される。
【００５７】
以上、図１０を参照して説明したように、実施形態１によれば、感光体ドラム１４１が帯電位置Ｐ４から画像形成開始距離Ｘだけ回転したときに、帯電部１４２は帯電を開始する。従って、シートＴの先端から画像形成開始距離Ｘだけ離れた位置から未形成画像部分ＳＰが形成される。その結果、排出シートＴＳの形成済画像部分ＡＰに後続する位置に対応する位置に未形成画像部分ＳＰが形成される。
【００５８】
次に、図１１を参照して、未形成画像部分ＳＰの形成処理について説明する。図１１は、画像形成装置１が実行する未形成画像部分ＳＰの形成処理を示すシーケンス図である。
【００５９】
ステップＳ１０１において、シートＴに画像を形成する指示を入力部５０が受け付け、制御部１０は、シートＴに画像を形成する処理を実行するように画像形成部１４０を制御する。ステップＳ１０３において、中断指示の入力を入力部５０が受け付け、制御部１０は、シートＴに画像を形成する動作を中断するように画像形成部１４０を制御する。
【００６０】
ステップＳ１０５において、制御部１０は、シートＴに画像を形成する動作を中断するように画像形成部１４０を制御する。ステップＳ１０７において、制御部１０は、記憶部２０に第１情報を退避させる。第１情報は、例えば、画像形成部１４０が中断した処理の画像形成条件、画像の読み込み枚数、画像形成枚数、及び処理中の画像データを含む。
【００６１】
ステップＳ１０９において、制御部１０は、記憶部２０に第２情報をさらに退避させる。第２情報は、例えば、位置Ｐ１から転写位置Ｐ２までの感光体ドラム１４１の回転角度、及び転写位置Ｐ２からトナー付与位置Ｐ３までの感光体ドラム１４１の回転角度を含む。
【００６２】
ステップＳ１１１において、入力部５０は、第１処理と第２処理とのうちのいずれかの選択の入力を受け付け、制御部１０は、第１処理と第２処理とのうちの選択された処理を実行するように、画像形成部１４０を制御する。ステップＳ１１３において、制御部１０は、記憶部２０から第１情報を取得する。
【００６３】
ステップＳ１１５において、制御部１０は、第１情報に基づいて、画像形成部１４０を設定する。ステップＳ１１７において、制御部１０は、記憶部２０から第２情報を取得する。ステップＳ１１９において、制御部１０は、第２情報に基づいて、感光体ドラム１４１を回転させる。ステップＳ１２１において、制御部１０は、第１処理と第２処理とのうち選択された処理を実行するように、画像形成部１４０を制御する。
【００６４】
以上、図１〜図１１を参照して説明したように、実施形態１によれば、排出シートＴＳに未形成画像部分ＳＰを形成させる処理と、新規シートＴＮに未形成画像部分ＳＰを形成させる処理とのうち選択された処理を実行するように、画像形成部１４０は制御される。従って、未形成画像部分ＳＰが形成されるシートＴを選択できる。その結果、ユーザーの利便性が向上する。
【００６５】
また、実施形態１によれば、画像形成部１４０がシートＴに画像を形成する動作を中断すると、第１情報が記憶部２０に退避される。第１情報は、例えば、画像形成部１４０が中断した処理の画像形成条件、画像の読み込み枚数、画像形成枚数、及び処理中の画像データを含む。そして、画像形成部１４０に第１処理又は第２処理を実行させるときに、第１情報に基づいて、画像形成部１４０は設定される。従って、ユーザーは、第１情報に関する設定を行うことなく未形成画像部分ＳＰをシートＴに形成させることができる。その結果、ユーザーの利便性が向上する。
【００６６】
（実施形態２）
次に、図１２を参照して、本発明の実施形態２に係る画像形成装置１について説明する。図１２は、ジャムが発生したときに表示部３０に表示される画面を示す。実施形態２に係る画像形成装置１の構成は、実施形態１で説明した画像形成装置１の構成と同じである。従って、実施形態１と異なる事項を説明し、実施形態１と重複する事項についての説明は割愛する。
【００６７】
ジャムが発生したことに応じて、制御部１０は、シートＴに画像を形成する動作を中断するように、画像形成部１４０を制御する。画像形成部１４０がシートＴに画像を形成する動作を中断したとき、入力部５０は、第１処理と第２処理とのうちのいずれかの選択の入力を受け付ける。制御部１０は、第１処理と第２処理とのうち選択された処理を実行するように、画像形成部１４０を制御する。
【００６８】
以上、図１２を参照して説明したように、実施形態２によれば、排出シートＴＳに未形成画像部分ＳＰを形成させる処理と、新規シートＴＮに未形成画像部分ＳＰを形成させる処理とのうち選択された処理を実行するように、画像形成部１４０は制御される、従って、未形成画像部分ＳＰが形成されるシートＴを選択できる。その結果、ユーザーの利便性が向上する。
【００６９】
以上、図面（図１〜図１２）を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００７０】
（１）図４を参照して説明したように、入力部５０が中断指示の入力を受け付けたことに応じて、表示部３０は、第１処理指示ボタン３４と第２処理指示ボタン３５とを表示した。ただし、表示部３０は、第１処理指示ボタン３４のみを表示し、第２処理指示ボタン３５を表示させなくてもよい。すなわち、入力部５０が中断指示の入力を受け付けたとき、制御部１０は、第２処理の選択の入力を禁止してもよい。この場合、排出シートＴＳに未形成画像部分ＳＰが形成される。従って、新規シートＴＮを使用することなく、未形成画像部分ＳＰを排出シートＴＳに形成できる。その結果、シートＴの使用量を減らすことができる。
【００７１】
（２）図１及び図５を参照して説明したように、画像形成部１４０に第１処理を実行させる場合、ユーザーは、手差しトレイ１２３に排出シートＴＳを積載して収納した。ただし、搬送部１３０が排出シートＴＳを画像形成部１４０に向けて搬送できる限り、ユーザーは、手差しトレイ１２３に代えて、カセット１２１に排出シートＴＳを収納してもよい。画像形成装置１が複数のカセット１２１を含む場合は、ユーザーは、複数のカセット１２１のうちからいずれか１つを指定して排出シートＴＳを収納し、入力部５０を介して指定したカセット１２１を画像形成部１４０に指示する。
【００７２】
（３）図１０を参照して説明したように、画像形成部１４０が第１処理を実行して未形成画像部分ＳＰを形成する場合、又は、画像形成部１４０が第２処理を実行して第１位置から未形成画像部分ＳＰを形成する場合、制御部１０は、画像形成部１４０を制御して、帯電位置Ｐ４から角度θ１と角度θ２とを足した角度まで感光体ドラム１４１を回転させた。ただし、画像形成部１４０に第１処理を実行させる場合、又は、第２処理を実行させて第１位置から未形成画像部分ＳＰを形成させる場合、形成済画像部分ＡＰの画像を記憶部２０から消去して、未形成画像部分ＳＰのみをシートＴに形成させてもよい。また、第２処理を実行させて第１位置から未形成画像部分ＳＰを形成させる場合、未形成画像部分ＳＰの画像を先頭位置に詰めて、未形成画像部分ＳＰをシートＴに形成させてもよい。
【００７３】
（４）図９（ａ）及び図９（ｂ）を参照して説明したように、制御部１０は、新規シートＴＮに、第１位置と第２位置とのうち選択された位置から未形成画像部分ＳＰを形成するように画像形成部１４０を制御した。ただし、制御部１０は、第１位置又は第２位置をユーザーに選択させることなく、第１位置と第２位置とのうちのいずれか一方から未形成画像部分ＳＰを画像形成部１４０に形成させてもよい。
【産業上の利用可能性】
【００７４】
本発明は、画像形成装置に有用である。
【符号の説明】
【００７５】
１      画像形成装置
１０    制御部
２０    記憶部
５０    入力部
１４０  画像形成部
１４１  感光体ドラム
１４２  帯電部
１６０  排出部
Ｔ      シート
ＴＳ    排出シート
ＴＮ    新規シート
ＡＰ    形成済画像部分
ＳＰ    未形成画像部分
Ｘ      画像形成開始距離
【図１】
2018069605.tif 000003
【図２】
2018069605.tif 000004
【図３】
2018069605.tif 000005
【図４】
2018069605.tif 000006
【図５】
2018069605.tif 000007
【図６】
2018069605.tif 000008
【図７】
2018069605.tif 000009
【図８】
2018069605.tif 000010
【図９】
2018069605.tif 000011
【図１０】
2018069605.tif 000012
【図１１】
2018069605.tif 000013
【図１２】
2018069605.tif 000014